(57)【要約】【課題】光学薄膜、及び、光学薄膜を応用したバックライトモジュールの提供。【解決手段】本発明の光学薄膜、及び、光学薄膜を応用したバックライトモジュールは、光学薄膜の一表面に棒状の光導体を有し、且つ、この光導体の一部は直線式の光導体で、一部は連続湾曲した光導体で、光学薄膜を経る光源は、棒状光導体の折射を受けて集光した後その光束は全面の直線規則状ではない。バックライトモジュールに応用する時、バックライトモジュールから出力する光源が液晶パネル射入する時、光源の回折を生じず、干渉紋の生成を防止する。【選択図】    図２
2008145468.tif 000002
【特許請求の範囲】
【請求項１】
光学薄膜であって、第一表面と第二表面を有し、前記第一表面は棒状の光導体を分布し、前記棒状の光導体は一部が直線状の光導体で、一部が左右連続湾曲の光導体で、前記第一表面の表層上に並列されることを特徴とする光学薄膜。
【請求項２】
前記棒状の光導体中、直線式の棒状光導体の体積は、左右連続湾曲式の棒状光導体より大きいことを特徴とする請求項１に記載の光学薄膜。
【請求項３】
前記直線式の棒状光導体の体積は、左右連続湾曲式の棒状光導体より小さいことを特徴とする請求項１に記載の光学薄膜。
【請求項４】
前記光導体の頂端部は、内部に凹入していることを特徴とする請求項１に記載の光学薄膜。
【請求項５】
前記棒状光導体の二斜辺は不対等の傾斜角度であることを特徴とする請求項１に記載の光学薄膜。
【請求項６】
前記棒状光導体の二斜辺中の一つは弧状であることを特徴とする請求項１に記載の光学薄膜。
【請求項７】
前記棒状光導体が形成する長さ中、高度は高低起伏を有する波浪状であることを特徴とする請求項１、２、３、４、５、或いは、６に記載の光学薄膜。
【請求項８】
前記光学薄膜の第二表面は粗雑面であることを特徴とする請求項１に記載の光学薄膜。
【請求項９】
バックライトモジュールであって、少なくとも、
反射面、出光面、及び、少なくとも一つの入光面を有する導光板と、
第一表面と第二表面を有し、前記第一表面中に棒状の光導体を有し、前記光導体は、一部が直線式の棒状光導体で、一部が左右連続湾曲式の棒状光導体で、前記第一表面の表層中に並列される光学薄膜と、からなり、
前記光学薄膜は、前記導光板の出光面上に設置され、且つ、前記光学薄膜の第一表面は前記導光板の出光面に面することを特徴とするバックライトモジュール。
【請求項１０】
前記棒状の光導体中、直線式の棒状光導体の体積は、左右連続湾曲式の棒状光導体より大きいことを特徴とする請求項９に記載のバックライトモジュール。        
【請求項１１】
前記直線式の棒状光導体の体積は、左右連続湾曲式の棒状光導体より小さいことを特徴とする請求項９に記載のバックライトモジュール。
【請求項１２】
前記光導体の頂端部は、内部に凹入していることを特徴とする請求項９に記載のバックライトモジュール。
【請求項１３】
前記棒状光導体の二斜辺は不対等の傾斜角度であることを特徴とする請求項９に記載のバックライトモジュール。        
【請求項１４】
前記棒状光導体の二斜辺中の一つは弧状であることを特徴とする請求項９に記載のバックライトモジュール。
【請求項１５】
前記棒状光導体が形成する長さ中、高度は高低起伏を有する波浪状であることを特徴とする請求項９、１０、１１、１２、１３、或いは、１４に記載のバックライトモジュール。
【請求項１６】
前記光学薄膜の第二表面は粗雑面であることを特徴とする請求項９に記載のバックライトモジュール。
【請求項１７】
前記バックライト中の光学薄膜の出光面上にプリズム光導体を有することを特徴とする請求項９に記載のバックライトモジュール。
【請求項１８】
前記バックライトモジュール中の導光板の出光面のプリズム光導体の延伸形成方向と、前記光学薄膜の棒状光導体の配置方向は垂直であることを特徴とする請求項９に記載のバックライトモジュール。
【発明の詳細な説明】
【技術分野】
【０００１】
本発明は光学薄膜、及び、光学薄膜を応用したバックライトモジュールに関し、詳細には、光源を集光し、且つ、集光後の光源が全面性の直線式規則でない光束出力である光学薄膜、及び、光学薄膜を応用したバックライトモジュールに関する。
【背景技術】
【０００２】
公知のバックライトモジュールが出力する光源は線的光源を面状の光源に転換するが、光源全体はプリズムのプリズム柱体の作用を受けて、規則性を有する直線光束をなす。液晶パネル中の薄膜トランジスタ（TFT）、及び、カラーフィルター（CF）は極細のマトリクス配置で、故に、規則性を有する直線の光束は、一旦、薄膜トランジスタ、及び、カラーフィルター中の素子間のギャップを再通過すると、通過した光束は回折（diffraction）を生成し、干渉紋を液晶パネル上に形成し、最終的には、液晶パネル表示時の機能を破壊する。
【０００３】
干渉紋の形成現象は、一般のバックライトモジュール工場で組み立て完成時に発生したかどうかを知ることができないので、液晶パネル工場で組み立て後、液晶パネルのディスプレイを起動した時にやっと分かる。よって、バックライトモジュール工場と液晶パネル工場の双方の業者にとって克服が望まれる問題である。
【発明の開示】
【発明が解決しようとする課題】
【０００４】
本発明の目的は、上述の問題を改善する光学薄膜、及び、光学薄膜を応用したバックライトモジュールを提供することである。
【課題を解決するための手段】
【０００５】
本発明は、光学薄膜、及び、光学薄膜を応用したバックライトモジュールを提供し、光学薄膜二表面中の一表面上に、棒状の光導体を分布し、この光導体の一部は直線式の光導体で、一部は連続湾曲した光導体で、光学薄膜を経る光源は、棒状光導体の折射を受けて集光した後出射し、且つ、棒状光導体が一部が直線で、一部が左右連続湾曲状であるゆえ、その出射光の光束は全面直線性の規則状ではなく、直線状と左右連続湾曲状の光線を出力する。
【０００６】
本発明は、光学薄膜、及び、光学薄膜を応用したバックライトモジュールを提供し、本発明の光学薄膜をバックライトモジュールに応用する時、光学薄膜をバックライトモジュール中の導光板の出光面上に設置し、導光板の出光面上にプリズム光導体を形成し、光学薄膜中の光導体を有する一表面は導光板の出光面に相対し、且つ、光学薄膜の棒状光導体は導光板のプリズム光導体の形成方向に垂直で配置される。導光板が出力する光源は、出光面中のプリズム光導体からの集光後出力され、光学薄膜の棒状光導体のもう一方向の集光は外に射出され、バックライトモジュールが出力するのは各方向の集光功能を有し、光源中の光束は全面の規則性を有する直線性の光束ではなく、直線状、及び、連続湾曲状の光束様態を呈し、この特性の光源は液晶パネルを通過する時、液晶パネルの表示時に干渉紋を生成し、ディスプレイ時のパフォーマンスを破壊するのを防止する。
【発明の効果】
【０００７】
本発明の光学薄膜、及び、光学薄膜を応用したバックライトモジュールにより、光源中の光束は全面の規則性を有する直線性の光束ではなく、直線状、及び、連続湾曲状の光束様態を呈し、この特性の光源は液晶パネルを通過する時、液晶パネルの表示時に干渉紋を生成し、ディスプレイ時のパフォーマンスを破壊するのを防止する。
【発明を実施するための最良の形態】
【０００８】
まず、図１は、本発明の光学薄膜とそれを応用したバックライトモジュールを示し、光学薄膜４は好ましい透光の材質からなり、第一表面４１と第二表面４２を有する。第一表面４１上に棒状の光導体４３を分布し、棒状の光導体４３は一部が直線状の光導体４３１で、一部が左右連続湾曲の光導体４３２で、第一表面４１の表層上に並列される。
【０００９】
図２で示されるように、本発明の光学薄膜４がバックライトモジュール５中に設置される時、バックライトモジュール４は少なくとも透光材質（例えば、PMMA）でなる一導光板５１、反射片５２、及び、ランプ５３、からなる。導光板５１は少なくとも一つの入光面５１１を有し、ランプ５３からの光源を受信すると共に、光源が入光面５１１に進入し、導光板５１内部に伝達する。反射面５１２は、光源を反射させ、反射片５２は導光板５１の反射面５１２外に設置され、反射面５１２外に漏れる光源を再度反射させて、導光板５１内部に導入する。出光面５１３は、導光板５１内部の光源を外に出力し、且つ、出光面５１３上でプリズム光導体５１３１を形成して、光源が離れる時、一方向に集光する功能を達成する。この時、本発明の光学薄膜４は、導光板５１の出光面５１３外に設置され、実施時、光学薄膜４の第一表面４１は導光板５１の出光面５１３に面し、光学薄膜４の棒状光導体４３の配置は、導光板５１のプリズム光導体５１３１の形成方向に垂直で配置され、導光板５１の一方向に集光した後の光源は、もう一つの方向に集光する。光学薄膜４の各棒状光導体４３は二斜辺４３３を利用し、光源照射時と透過時の集光功能を達成する。直線式光導体４３１を経る光源は、直線状になった光束が本発明の光学薄膜４の外を離れ、左右連続湾曲の光導体４３２を経て射出した光源は、連続湾曲状の光束が本発明の光学薄膜４の外を離れる。これにより、本発明の光学薄膜４を作用後の光源中、光源の垂直方向の一致性を保持し、光源集光功能を達成し、且つ、光源中直線状を呈する光束は、一部が直線状の光束で、一部が連続湾曲の光束である。
【００１０】
図３を参照すると、本発明の光学薄膜４を設置するバックライトモジュール５が液晶パネル６に応用される時、バックライトモジュール５中の光源が光学薄膜４の作用により、出力される光源は直線状の光束と連続湾曲状の光束を含むので、光源が液晶パネル６中の薄膜トランジスタ６１、及び、カラーフィルター６２を通過する時、薄膜トランジスタ６１の各ユニット、及び、カラーフィルター６２の各ユニット中は規則状分布のギャップを有するが、光源は単一の直線性規則状の光束ではない。故に、光源がこれらのギャップを通過する時、回折を生成せず、干渉紋の形成がないので、液晶パネル６ディスプレイ時、好ましいパフォーマンスが得られる。
【００１１】
また、本発明の光学薄膜４中の第二表面４２は粗雑化しており、光源が第一表面４１を経て集光動作後、光源は第二表面４２により粗雑化し、光源が均一化効果を得て、公知中の拡散膜の使用を減少させて、コストを抑制する。
【００１２】
図４で示されるように、本発明の光学薄膜４を応用するため、光学薄膜４の棒状光導体４３中、直線式の棒状光導体４３１の体積は左右連続湾曲式の棒状光導体４３２より大きい。或いは、図５で示されるように、直線式の棒状光導体４３１の体積は、左右連続湾曲式の棒状光導体４３２より小さく、棒状光導体４３の相互間に異なる距離を形成し、作用後の光源中の各光束は異なるギャップを形成し、異なるギャップ間の光束の光源を利用し、液晶パネル６中の薄膜トランジスタ６１、及び、カラーフィルター６２の規則状のギャップを通過しても、回折を生成せず、干渉紋の形成を防止する。
【００１３】
或いは、図６で示されるように、本発明の光学薄膜４中の棒状光導体４３の頂端部４３４は、光導体４３内部に凹入し、穿過した光源は作用後、各光束はギャップを有する更に小さい光束に分束し、各光束間のギャップは単一規則性を呈さず、この非単一規則状光束を有する光源を利用して、液晶パネル６中の薄膜トランジスタ６１、及び、カラーフィルター６２の規則状ギャップを通過する時、液晶ディスプレイ６ディスプレイ時、干渉紋の形成を防止する。
【００１４】
或いは、図７で示されるように、本発明の光学薄膜４の棒状光導体４３中、二斜辺４３３は非対等の傾斜角度で、光源は生成される不対等の折射角度により、作用後の光源中、各光束中一部が拡散現象を呈し、異なる強度の光エネルギーを生成する。或いは、図８で示されるように、光導体４３中の二斜辺４３３の一斜辺は弧状で、光源は弧状の斜辺４３３を利用して、強い集光をなして出力され、各光束中に強弱が異なる光エネルギーをなす。各光束中の強弱が異なる光エネルギーにより、液晶パネル６中の薄膜トランジスタ６１、及び、カラーフィルター６２の規則状ギャップを通過する時、回折を生じず、液晶ディスプレイ６ディスプレイ時、干渉紋の形成を防止する。
【００１５】
上述の各実施例中、本発明の光学薄膜４の作用後の光源は、液晶パネル６のディスプレイに提供される時、効果的に干渉紋の形成を防止し、且つ、図９で示されるように、光学薄膜４の棒状光導体４３はその形成する長さにおいて、高度が高低起伏した波浪状をなし、光源が光導体４中の異なる高低位置から出光して、各光束長さ中、液晶パネル６に対応する時、近い、及び、遠い距離を呈し、液晶パネル６に近い光エネルギーは、液晶パネル６に遠い光エネルギーより強く、光束強度中、光エネルギーが強弱間隔の様態を有し、液晶パネル６を経る時、更に、光源不規則化の要求を達成して、光源は回折現象を生じる可能性を減少させ、干渉紋３３の形成を防止する。
【図面の簡単な説明】
【００１６】
【図１】本発明の光学薄膜の立体図である。
【図２】本発明の光学薄膜をバックライトモジュールに応用したことを示す図である。
【図３】液晶パネルに応用した時の図である。
【図４】光学薄膜の棒状光導体が異なる大小体積であることを示す図である。
【図５】光学薄膜の棒状光導体が異なる大小体積であることを示す図である。
【図６】本発明の光学薄膜の棒状光導体の断面の異なる造型変化を示す図である。
【図７】本発明の光学薄膜の棒状光導体の断面の異なる造型変化を示す図である。
【図８】本発明の光学薄膜の棒状光導体の断面の異なる造型変化を示す図である。
【図９】本発明の光学薄膜の長さ中、高低起伏を有することを示す図である。
【符号の説明】
【００１７】
４光学薄膜
４１第一表面  
４２第二表面  
４３棒状光導体  
４３１直線式光導体
４３２左右連續湾曲式棒状光導体
４３３斜辺
４３４頂端部
５バックライトモジュール  
５１導光板    
５１１入光面
５１２反射面
５１３出光面
５１３１プリズム光導体  
５２反射片      
５３ランプ        
６液晶パネル  
６１薄膜トランジスタ
６２カラーフィルター
【図１】
2008145468.tif 000003
【図２】
2008145468.tif 000004
【図３】
2008145468.tif 000005
【図４】
2008145468.tif 000006
【図５】
2008145468.tif 000007
【図６】
2008145468.tif 000008
【図７】
2008145468.tif 000009
【図８】
2008145468.tif 000010
【図９】
2008145468.tif 000011